(57)【要約】【課題】床スラブが備えるブロックを大きくすることにより、床スラブのコンクリート使用量及び床スラブの重量を低減することができる床スラブの構造及びその床スラブに用いるブロックを提供すること。【解決手段】複数の下端筋と該下端筋から間隔を置かれた複数の上端筋とを備え、前記上端筋及び前記下端筋がそれぞれ格子状に配置されているコンクリート製の床スラブの構造は、前記上端筋及び前記下端筋のそれぞれから間隔を置いて配置された、比重がコンクリートより小さいブロックを含む。前記ブロックは、凹所が形成された底面を有し、前記凹所は前記下端筋を受入れている。【選択図】図１
2008215023.tif 000002
【特許請求の範囲】
【請求項１】
複数の下端筋と該下端筋から間隔を置かれた複数の上端筋とを備え、前記上端筋及び前記下端筋がそれぞれ格子状に配置されているコンクリート製の床スラブの構造であって、前記上端筋及び前記下端筋のそれぞれから間隔を置いて配置された、比重がコンクリートより小さいブロックを含み、該ブロックは、凹所が形成された底面を有し、前記凹所は前記下端筋を受入れている、床スラブの構造。
【請求項２】
前記ブロックは、平面又は曲面からなる頂面を有し、該頂面は前記上端筋の下方に位置する、請求項１に記載の床スラブの構造。
【請求項３】
前記ブロックは、凹所が形成された頂面を有し、前記凹所は前記上端筋を受入れている、請求項１に記載の床スラブの構造。
【請求項４】
複数の下端筋と該下端筋から間隔を置かれた複数の上端筋とを備え、前記上端筋及び前記下端筋がそれぞれ格子状に配置されているコンクリート製の床スラブに用いるブロックであって、前記下端筋を受入れ可能な凹所が形成された底面を有し、前記ブロックの比重はコンクリートより小さい、ブロック。
【請求項５】
平面又は曲面からなる頂面を有する、請求項４に記載のブロック。
【請求項６】
前記上端筋を受入れ可能な凹所が形成された頂面を有する、請求項４に記載のブロック。
【請求項７】
前記凹所は、横方向に間隔を置かれ縦方向に伸びる複数の第１溝部と、該第１溝部と交差する、縦方向に間隔を置かれ横方向に伸びる複数の第２溝部とからなり、前記第１溝部及び前記第２溝部のそれぞれは、前記ブロックの一端部から他端部へ伸び、各端部で開放されている、請求項４に記載のブロック。
【請求項８】
前記凹所は、横方向に間隔を置かれ縦方向に伸びる複数の第１溝部と、該第１溝部と交差する、横方向に伸びる第２溝部とからなり、前記第１溝部及び前記第２溝部のそれぞれは、前記ブロックの一端部から他端部へ伸び、各端部で開放されている、請求項４に記載のブロック。
【請求項９】
前記凹所は、横方向に間隔を置かれ縦方向に伸びる複数の溝部からなり、各溝部は、前記ブロックの一端部から他端部へ伸び、各端部で開放されている、請求項４に記載のブロック。
【請求項１０】
前記凹所は、縦方向に伸びる第１溝部と、該第１溝部と交差する、横方向に伸びる第２溝部とからなり、前記第１溝部及び前記第２溝部のそれぞれは、前記ブロックの一端部から他端部へ伸び、各端部で開放されている、請求項４に記載のブロック。
【請求項１１】
前記凹所は、前記ブロックの一端部から他端部へ伸びる溝からなり、該溝は前記ブロックの各端部で開放されている、請求項４に記載のブロック。
【発明の詳細な説明】
【技術分野】
【０００１】
本発明は、床スラブの構造及びその床スラブに用いるブロックに関する。
【背景技術】
【０００２】
建物のコンクリート製の床スラブは、複数の下端筋と、該下端筋から間隔を置かれた複数の上端筋とを備える。前記床スラブの従来の構造には、前記下端筋と前記上端筋との間に、比重がコンクリートより小さいブロックが配置されているものがある（特許文献１参照）。
【特許文献１】特開２００４−１００２８６号公報
【０００３】
前記ブロックは、底面と、頂面とを有する。前記ブロックの底面は、前記下端筋の上方に位置し、該下端筋から間隔を置かれている。前記ブロックの頂面は、前記上端筋の下方に位置し、該上端筋から間隔を置かれている。前記ブロックの底面と前記下端筋との間及び前記ブロックの頂面と前記上端筋との間のコンクリートの厚さは、前記下端筋又は前記上端筋に対して設計上必要とされる被り厚さ以上である。
【０００４】
前記床スラブが、コンクリートより比重が小さい前記ブロックを備えることにより、床スラブのコンクリート使用量を低減し、また床スラブの重量を低減することができる。これにより建物の建築コストの低減を図ることができる。
【発明の開示】
【発明が解決しようとする課題】
【０００５】
前記ブロックは、該ブロックの数を少なくして前記ブロックを配置する手間を減らすためには、大きいほど好ましい。仮に、前記ブロックが小さければ、これを前記下端筋及び前記上端筋のいずれにも当たることがないように配置することができる。しかし、前記ブロックが大きいと、これを前記下端筋及び前記上端筋のいずれにも当たることがないように配置することはできない。すなわち、前記ブロックの底面及び頂面がそれぞれ前記下端筋及び前記上端筋に当たる。したがって、前記ブロックの大きさは前記下端筋と前記上端筋との間の間隔に依る。このため、前記ブロックをより大きくして床スラブのコンクリート使用量及び床スラブの重量をさらに低減することはできない。
【０００６】
本発明の目的は、床スラブが備えるブロックを大きくすることにより、床スラブのコンクリート使用量及び床スラブの重量を低減することができる床スラブの構造及びその床スラブに用いるブロックを提供することである。
【課題を解決するための手段】
【０００７】
本発明は、前記目的を達成するため、ブロックの底面に凹所が形成され、該凹所は下端筋を受入れることができる。
【０００８】
本発明に係る、複数の下端筋と該下端筋から間隔を置かれた複数の上端筋とを備え、前記上端筋及び前記下端筋がそれぞれ格子状に配置されているコンクリート製の床スラブの構造は、前記上端筋及び前記下端筋のそれぞれから間隔を置いて配置された、比重がコンクリートより小さいブロックを含む。前記ブロックは、凹所が形成された底面を有し、前記凹所は前記下端筋を受入れている。
【０００９】
前記凹所が前記下端筋を受入れているため、前記底面は前記下端筋の下端面と同じ高さに位置する。すなわち、前記底面は、前記下端筋の上方に位置する、従来のブロックの底面に比べて低い高さに位置する。このため、前記ブロックを従来のブロックより大きくすることができる。
【００１０】
前記ブロックは、平面又は曲面からなる頂面を有し、該頂面が前記上端筋の下方に位置するものとすることができる。また、前記ブロックは、凹所が形成された頂面を有し、前記凹所が前記上端筋を受入れているものとすることができる。この場合、前記凹所が前記上端筋を受入れているため、前記頂面は、該頂面が前記上端筋の下方に位置する場合に比べて高い高さに位置する。このため、前記ブロックをさらに大きくすることができる。
【００１１】
本発明に係る、複数の下端筋と該下端筋から間隔を置かれた複数の上端筋とを備え、前記上端筋及び前記下端筋がそれぞれ格子状に配置されているコンクリート製の床スラブに用いるブロックは、前記下端筋を受入れ可能な凹所が形成された底面を有し、前記ブロックの比重はコンクリートより小さい。
【００１２】
前記ブロックは、平面又は曲面からなる頂面を有するものとすることができる。また、前記ブロックは、前記上端筋を受入れ可能な凹所が形成された頂面を有するものとすることができる。
【００１３】
前記凹所は、横方向に間隔を置かれ縦方向に伸びる複数の第１溝部と、該第１溝部と交差する、縦方向に間隔を置かれ横方向に伸びる複数の第２溝部とからなるものとすることができる。前記第１溝部及び前記第２溝部のそれぞれは、前記ブロックの一端部から他端部へ伸び、各端部で開放されている。
【００１４】
前記凹所は、横方向に間隔を置かれ縦方向に伸びる複数の第１溝部と、該第１溝部と交差する、横方向に伸びる第２溝部とからなるものとすることができる。前記第１溝部及び前記第２溝部のそれぞれは、前記ブロックの一端部から他端部へ伸び、各端部で開放されている。
【００１５】
前記凹所は、横方向に間隔を置かれ縦方向に伸びる複数の溝部からなるものとすることができる。各溝部は、前記ブロックの一端部から他端部へ伸び、各端部で開放されている。
【００１６】
前記凹所は、縦方向に伸びる第１溝部と、該第１溝部と交差する、横方向に伸びる第２溝部とからなるものとすることができる。前記第１溝部及び前記第２溝部のそれぞれは、前記ブロックの一端部から他端部へ伸び、各端部で開放されている。
【００１７】
前記凹所は、前記ブロックの一端部から他端部へ伸びる溝からなるものとすることができる。前記溝は前記ブロックの各端部で開放されている。
【発明の効果】
【００１８】
本発明によれば、ブロックの底面に形成された凹所が下端筋を受入れることができるため、前記底面が従来のブロックの底面より低い高さに位置するようにすることができる。このため、前記ブロックを従来のブロックより大きくすることができ、床スラブのコンクリート使用量及び床スラブの重量をより一層低減することができる。
【発明を実施するための最良の形態】
【００１９】
図１には、場所打ちコンクリートで作られた、建物の床スラブ１０が示され、該床スラブは、複数の下端筋１２と該下端筋から間隔を置かれた複数の上端筋１４とを備える。上端筋１４及び下端筋１２はそれぞれ格子状に配置されている。
【００２０】
床スラブ１０は、さらに、上端筋１４及び下端筋１２のそれぞれから間隔を置いて配置されたブロック１６を含む。ブロック１６は、発泡プラスチック、他のプラスチック、木材等からなり、ブロック１６の比重はコンクリートより小さい。
【００２１】
ブロック１６は、底面１８と、頂面２０とを有する。底面１８に凹所２２が形成されており、該凹所は下端筋１２を受入れている。凹所２２を規定する内面２４は下端筋１２から間隔を置かれており、内面２４と下端筋１２との間のコンクリートの厚さは、下端筋１２に対して設計上必要とされる被り厚さ以上であり、例えば約３０ｍｍである。凹所２２の横断面形状は、図示の例では、矩形であるが、これに代え、半円形のような他の形状とすることができる。
【００２２】
ブロック１６の底面１８は、下端筋１２の下端面１２ａと同じ高さに位置し、床スラブ１０の底面１０ａから間隔を置かれている。ブロック１６の底面１８と床スラブ１０の底面１０ａとの間のコンクリートの厚さは、ブロック１６に対して設計上必要とされる被り厚さ以上であり、例えば約３０ｍｍである。
【００２３】
ブロック１６の頂面２０は波形の曲面からなる。頂面２０は、上端筋１４の下方に位置し、上端筋１４から間隔を置かれている。頂面２０と上端筋１４との間のコンクリートの厚さは、上端筋１４に対して設計上必要とされる被り厚さ以上である。頂面２０は、波形の曲面からなる図示の例に代え、半球形のような他の曲面からなるもの、又は平面からなるものであってもよい。
【００２４】
ところで、例えば、床スラブ１０上で人が飛び跳ねたとき、床スラブ１０上で衝撃音が発生する。前記衝撃音は、床スラブ１０内に入射し、床スラブ１０下へ伝わる。波形の頂面２０は、床スラブ１０内に入射した前記衝撃音を反射して散乱させるため、床スラブ１０下へ伝わる前記衝撃音を低減することができる。このため、ブロック１６の頂面２０は波形の曲面からなるのが好ましい。
【００２５】
ブロック１６は、頂面２０及び底面１８のそれぞれで開放された貫通孔３０を有する。貫通孔３０は、コンクリートの打設時、ブロック１６下のコンクリートの回り込み状況を目視して確認するのに用いる。また、貫通孔３０は、コンクリートの打設時にブロック１６下に空気が溜まるのを防止する。
【００２６】
凹所２２が下端筋１２を受入れているため、底面１８は下端筋１２の下端面１２ａと同じ高さに位置する。すなわち、底面１８は、下端筋１２の上方に位置する、従来のブロックの底面に比べて低い高さに位置する。このため、底面１８から頂面２０までの長さを増大させてブロック１６を従来のブロックより大きくすることができる。これにより、床スラブのコンクリートの使用量の低減及び床スラブの重量の低減を図ることができる。
【００２７】
図２に示すように、凹所２２は、横方向に間隔を置かれ縦方向に伸びる複数の第１溝部２６と、該第１溝部と交差する、縦方向に間隔を置かれ横方向に伸びる複数の第２溝部２８とからなる。第１溝部２６及び第２溝部２８のそれぞれは、ブロック１６の一端部から他端部へ伸び、各端部で開放され、下端筋１２を受入れている。図示の例では、縦方向に伸びる下端筋１２及び横方向に伸びる下端筋１２はそれぞれ約２００ｍｍ間隔で配置されており、ブロック１６の平面寸法は、縦が約４００ｍｍ、横が約４００ｍｍである。凹所２２の平面形状はブロック１６の平面寸法に応じて変更することができる。
【００２８】
床スラブ１０を施工するとき、まず、型枠３２から間隔を置いて下端筋１２を格子状に配置する。このとき、交差する２本の下端筋１２に、特許文献２に記載の支持具のように上部に突起３４を備える支持具３６を取付け、該支持具により下端筋１２を型枠３２上に支持する（図１）。支持具３６は、突起３４の周囲を取り巻くリング３８を備える。
【特許文献２】特開２００４−２６３５１６号公報
【００２９】
次に、ブロック１６を、凹所２２が下端筋１２を受入れるように、下端筋１２から間隔を置いて配置する。このとき、ブロック１６を支持具３６の突起３４に突刺し、ブロック１６がリング３８に接するまでブロック１６を下方へ移動させる。これによりブロック１６は支持具３６によって支持される。リング３８がブロック１６の下方への移動を阻止するため、下端筋１２とブロック１６との間に、予め定められた間隔を確保することができる。
【００３０】
その後、上端筋１４をブロック１６から間隔を置いて格子状に配置する。その後、コンクリートを打設して床スラブ１０を形成する。このとき、貫通孔３０を通してブロック１６下のコンクリートの回り込み状況を目視して確認する。コンクリートの回り込みが不十分であるときは、貫通孔３０にバイブレータ（図示せず）を挿入し、該バイブレータによりブロック１６下のコンクリートの充填状態を改善する。
【００３１】
図３ないし６に示す例では、凹所２２は、横方向に間隔が置かれ縦方向に伸びる複数の第１溝部２６と、該第１溝部と交差する、縦方向に間隔が置かれ横方向に伸びる複数の第２溝部２８とからなる図２に示した例に代え、他の平面形状を有する。
【００３２】
図３に示す例では、凹所２２は、横方向に間隔が置かれ縦方向に伸びる複数の第１溝部２６と、該第１溝部と交差する、横方向に伸びる１つの第２溝部２８とからなる。第１溝部２６及び第２溝部２８のそれぞれは、ブロック１６の一端部から他端部へ伸び、各端部で開放され、下端筋１２を受入れている。ブロック１６の平面寸法は、例えば、縦が約２００ｍｍ、横が約４００ｍｍである。
【００３３】
図４に示す例では、凹所２２は、横方向に間隔が置かれ縦方向に伸びる複数の溝部４０からなる。各溝部は、ブロック１６の一端部から他端部へ伸び、各端部で開放され、下端筋１２を受入れている。ブロック１６の平面寸法は、例えば、縦が約２００ｍｍ、横が約４００ｍｍである。
【００３４】
図５に示す例では、凹所２２は、縦方向に伸びる第１溝部２６と、該第１溝部と交差する、横方向に伸びる第２溝部２８とからなる。第１溝部２６及び第２溝部２８のそれぞれは、ブロック１６の一端部から他端部へ伸び、各端部で開放され、下端筋１２を受入れている。ブロック１６の平面寸法は、例えば、縦が約２００ｍｍ、横が約２００ｍｍである。
【００３５】
図６に示す例では、凹所２２は、ブロック１６の一端部から他端部へ伸びる溝からなる。前記溝は、ブロック１６の各端部で開放され、下端筋１２を受入れている。ブロック１６の平面寸法は、例えば、縦が約２００ｍｍ、横が約２００ｍｍである。
【００３６】
図７に示す例では、ブロック１６は、波形の曲面からなる頂面２０を有する図１に示した例に代え、凹所４２が形成された頂面４４を有する。凹所４２は上端筋１４を受入れている。凹所４２を規定する内面４６は上端筋１４から間隔を置かれており、内面４６と上端筋１４との間のコンクリートの厚さは、上端筋１４に対して設計上必要とされる被り厚さ以上である。
【００３７】
ブロック１６の頂面４４は、上端筋１４の上端面１４ａと同じ高さに位置し、床スラブ１０の頂面１０ｂから間隔を置かれている。ブロック１６の頂面４４と床スラブ１０の頂面１０ｂとの間のコンクリートの厚さは、ブロック１６に対して設計上必要とされる被り厚さ以上である。
【００３８】
凹所４２が上端筋１４を受入れているため、頂面４４は、該頂面が上端筋１４の下方に位置する場合に比べて高い高さに位置する。このため、ブロック１６をさらに大きくすることができる。
【図面の簡単な説明】
【００３９】
【図１】本発明の第１実施例に係る床スラブの断面図。
【図２】図１の線２における底面図。
【図３】本発明の第２実施例に係る床スラブの底面図。
【図４】本発明の第３実施例に係る床スラブの底面図。
【図５】本発明の第４実施例に係る床スラブの底面図。
【図６】本発明の第５実施例に係る床スラブの底面図。
【図７】本発明の第６実施例に係る床スラブの断面図。
【符号の説明】
【００４０】
１０    床スラブ
１２    下端筋
１４    上端筋
１６    ブロック
１８    底面
２０、４４    頂面
２２、４２    凹所
２６    第１溝部
２８    第２溝部
４０    溝部
【図１】
2008215023.tif 000003
【図２】
2008215023.tif 000004
【図３】
2008215023.tif 000005
【図４】
2008215023.tif 000006
【図５】
2008215023.tif 000007
【図６】
2008215023.tif 000008
【図７】
2008215023.tif 000009